(57)【要約】【課題】上下方向の衝撃に対して収容物を保護する緩衝機能と、収容物同士の衝突に対する保護機能の両方を備え、組み立ても容易な緩衝中仕切り付き包装用箱を提供する。【解決手段】一枚の箱体形成片１２から成り、箱体形成片１２を構成する各側面板１６，１８，２０，２２は、互いに平行な折罫線２４，２６，２８を有している。側面板１８，２２の底面側に、底フラップ５４，８４から延出して、緩衝支持部１７を備える。緩衝支持部１７は、緩衝片６０，９０と緩衝底面部６６，９６、及び緩衝糊付片７０，１００を備える。緩衝片６０と緩衝底面部６６の側方に、緩衝中仕切り片７２が延出し、緩衝中仕切り片７２と緩衝底面部６６との間に切り込み７５を有する。組み立て状態で、緩衝支持部１７が、底フラップ５４，８４から所定間隔を空けて箱体１１内の空間に一体的に設けられ、箱体１１内の空間を緩衝中仕切り片７２が仕切る。【選択図】図１
2015013672.tif 000002
【特許請求の範囲】
【請求項１】
一枚の箱体形成片から成り、前記箱体形成片を構成する各側面板は互いに平行な折罫線を介して連接され、前記側面板の底面側に設けられた底フラップから延出して、緩衝支持部が設けられ、
前記緩衝支持部は、緩衝片と緩衝底面部及び緩衝糊付片を備え、前記緩衝片と前記緩衝底面部の側方に緩衝中仕切り片が延出し、前記緩衝中仕切り片と前記緩衝底面部との間に切り込みが形成されて前記緩衝中仕切り片が離間可能に設けられ、
組み立て状態で、前記緩衝支持部が前記底フラップから所定間隔を空けて箱体内の空間に一体的に設けられ、前記箱体内の空間を前記緩衝中仕切り片が仕切ることを特徴とする緩衝中仕切り付き包装用箱。
【請求項２】
前記緩衝底面部は、組み立て状態で前記底フラップと平行に位置し、前記緩衝中仕切り片は、前記緩衝底面部と直角に設けられている請求項１記載の緩衝中仕切り付き包装用箱。
【請求項３】
前記底フラップは、互いに対向する一対の前記側面板の端縁部に各々設けられ、前記底フラップから延出して、一対の前記緩衝片及び緩衝底面部が設けられ、前記緩衝中仕切り片は、一対の前記緩衝片に各々設けられている請求項２記載の緩衝中仕切り付き包装用箱。
【請求項４】
前記緩衝片と前記緩衝底面部及び前記緩衝糊付片は、前記底フラップの先端縁の長さより狭い幅に形成されて延出し、前記底フラップには前記緩衝片が延出していない部分による段部が形成され、組み立て状態でこの段部の幅で前記緩衝片及び前記緩衝底面部と前記側面板との間に空間が形成される請求項２または３記載の緩衝中仕切り付き包装用箱。
【発明の詳細な説明】
【技術分野】
【０００１】
この発明は、ガラス製容器等の破損しやすい収容物を包装するための緩衝中仕切り付き包装用箱に関する。
【背景技術】
【０００２】
従来、ブランクシートから一体的に打ち抜かれて形成された箱体形成片を折り曲げて糊付けし、引き起こして立体状に組み立てられる包装用箱であって、収容物を保護する緩衝機能を備えた包装用箱があった。
【０００３】
このような包装用箱として、例えば、特許文献１に開示されているように、商品であるビン類を収容し、ビン底を底フラップから延長された緩衝支持片により支持したものがある。さらに、本願出願人による特許文献２に開示されているように、底フラップから延長された緩衝支持片を山形に形成し、より高い緩衝効果を得るようにしたものある。
【０００４】
さらに、特許文献３に開示されている破瓶防止機能を有するケースのように、商品であるビン類を収容し、ビン底を下蓋から浮かせて支持する緩衝支持機能を有するとともに、底フラップの組み立て状態で、突起部が底フラップの天板から抜け出て上向きに起立し、天板上方の収容部の空間を中仕切りするものも提案されている。
【先行技術文献】
【特許文献】
【０００５】
【特許文献１】特開平３−２７５４３７号公報
【特許文献２】特開２００８−１４３５６５号公報
【特許文献３】特開２０１０−３６９５２号公報
【発明の概要】
【発明が解決しようとする課題】
【０００６】
特許文献１，２に開示された包装用箱は、箱体の上下方向の衝撃に対して緩衝機能を有するが、２本のビンを収容した場合、箱体内でビン同士の側面がぶつかって破損する恐れのあるものであった。このため、箱体内のビン間に挿入する別体の仕切り板を設けて、ビン同士の間に挟む作業が必要であり、組み立て及び包装工数のかかるものであった。
【０００７】
一方、特許文献３の破瓶防止機能を有するケースは、底フラップから延長されて形成された天板の一部を切り抜いて延出した突起部が仕切り板となるので、中仕切り板の挿入作業を省くことができるが、中仕切り板となる突起部の突出長さや面積は天板の大きさに制限され、大きく取ることができないものである。特に、突起部の面積を大きく取ると、ビンを下方から支持する天板部分の支持面積が小さくなって支持強度が確保できないという問題があり、収容物の側面同士の干渉機能のみならず、上下方向の緩衝機能も十分に持たせることができないものである。
【０００８】
この発明は、上記背景技術に鑑みて成されたものであり、上下方向の衝撃に対して収容物を保護する緩衝機能と、収容物同士の衝突に対する保護機能の両方を備え、組み立ても容易な緩衝中仕切り付き包装用箱を提供することを目的とする。
【課題を解決するための手段】
【０００９】
この発明は、一枚の箱体形成片から成り、前記箱体形成片を構成する各側面板は互いに平行な折罫線を介して連接され、前記側面板の底面側に設けられた底フラップから延出して、緩衝支持部が設けられ、前記緩衝支持部は、緩衝片と緩衝底面部及び緩衝糊付片を備え、前記緩衝片と前記緩衝底面部の側方に緩衝中仕切り片が延出し、前記緩衝中仕切り片と前記緩衝底面部との間に切り込みが形成されて前記緩衝中仕切り片が離間可能に設けられ、組み立て状態で、前記緩衝支持部が前記底フラップから所定間隔を空けて箱体内の空間に一体的に設けられ、前記箱体内の空間を前記緩衝中仕切り片が仕切る緩衝中仕切り付き包装用箱である。
【００１０】
前記底フラップは、互いに対向する一対の前記側面板の端縁部に各々設けられ、前記底フラップから延出して、一対の前記緩衝片及び緩衝底面部が設けられ、前記緩衝中仕切り片は、一対の前記緩衝片に各々設けられているものである。
【００１１】
前記緩衝片と前記緩衝底面部及び前記緩衝糊付片は、前記底フラップの先端縁の長さより狭い幅に形成されて延出し、前記底フラップには前記緩衝片が延出していない部分による段部が形成され、組み立て状態でこの段部の幅で前記緩衝片及び前記緩衝底面部と前記側面板との間に空間が形成されるものである。
【発明の効果】
【００１２】
この発明の緩衝中仕切り付き包装用箱は、一体的で簡単な部材構成により、箱体底部に高い緩衝機能を持たせることができ、さらに内部空間の仕切りも組み立てと同時に形成されるものであり、複数のビン等、緩衝機能を有して包装しなければならない収容物を簡単且つ安全に包装することができる。さらに、必要に応じて付属物の収容空間を形成することも可能であり、多様な収容物の包装に適用可能なものである。
【図面の簡単な説明】
【００１３】
【図１】この発明の緩衝中仕切り付き包装用箱の一実施形態を示す部分破断斜視図である。
【図２】この実施形態の緩衝中仕切り付き包装用箱を展開した箱体形成片の表面側を見た平面図である。
【図３】この実施形態の箱体形成片を組み立てる工程を説明する底面図である。
【図４】この実施形態の箱体形成片を組み立てる工程を説明する底面図である。
【図５】この実施形態の緩衝中仕切り付き包装用箱の縦断面図である
【図６】この発明の緩衝中仕切り付き包装用箱の他の実施形態の箱体形成片の平面図である。
【図７】この発明の緩衝中仕切り付き包装用箱の他の実施形態の縦断面図である。
【発明を実施するための形態】
【００１４】
以下、この発明の一実施形態の緩衝中仕切り付き包装用箱について、図１〜図５に基づいて説明する。この実施形態の緩衝中仕切り付き包装用箱１０は、厚紙等のブランクシートから一体的に打ち抜かれた一枚の箱体形成片１２により形成され、折り畳んだ状態から引き起こすことによって組み立てられる六面体の箱体１１から成る。さらに、この実施形態の緩衝中仕切り付き包装用箱１０は、図１に示すように、組み立て状態で、直方体の箱体１１内に、２本のガラス製の薬ビンや化粧品容器等の収容物１３，１４を緩衝的に保持するとともに、能書等の付属物１５を収容可能に形成された後述する緩衝支持部１７を備えている。
【００１５】
箱体形成片１２は、図２に示すように、組み立て状態で直方体の箱体１１を形成する４側面の側面板１６，１８，２０，２２が、互いに平行に折罫線２４，２６，２８で各々区切られて設けられている。さらに、各側面の連接方向に側面板２２の端部には、糊付片３０が折罫線３２に区切られて設けられている。４つの側面板１６，１８，２０，２２は、各々連接方向と直交する上下方向に長さが等しく、側面板１６，２０と側面板１８，２２が、連接方向と平行な方向の幅が異なる。この実施形態では、連接方向と平行な方向の幅は、側面板１６，２０が広く、側面板１８，２２が狭く形成されている。また、糊付片３０の連接方向と直交する長さは、糊付けする相手方である側面板１６の上下方向の長さと等しく、連接方向の幅は、適宜の短い幅で糊付け強度に必要な幅に形成されている。
【００１６】
側面板１６の図面上方に位置した上端縁部には、後述する開封時の破断部となる略コ字状の切り込み線３３が、上端縁側が開口するように形成されている。
【００１７】
組み立て状態で側面板１６と対面する側面板２０の上端縁には、側面板２０の連接方向の幅と等しい幅であって、側面板２０の連接方向の幅の長さで延出した長方形の上蓋片３４が折罫線３６で区切られて設けられ、上蓋片３４の側面板２０側とは反対側に、差込片３８が折罫線４０で区切られて設けられている。折罫線４０の両端部には、切り込み４０ａが各々形成されている。同様に、側面板２０の下端縁には、側面板２０の連接方向の幅の長さで延出した長方形の下蓋片４２が折罫線４４で区切られて設けられ、下蓋片４２の側面板２０側とは反対側に、差込片４６が折罫線４８で区切られて設けられている。折罫線４８の両端部には、切り込み４８ａが各々形成されている。
【００１８】
側面板１６に隣接した側面板１８の上端縁には、ほぼ台形状の上フラップ５０が折罫線５２を介して形成されている。上フラップ５０の折罫線５２から先端までの長さは、側面板１６の連接方向長さの１／２より僅かに短い程度に形成されている。同様に、側面板１８の下端縁には、ほぼ四角形状の底フラップ部５４が折罫線５６を介して形成されている。底フラップ部５４の折罫線５６から先端までの長さは、後述する他方の底フラップ部８４と端部同士が接して対面するように互いに長さが設定されて形成され、この実施形態では、側面板１６，２０の連接方向長さの１／２に形成されている。
【００１９】
底フラップ部５４の先端縁には、折罫線２４の延長方向に緩衝片６０が折罫線６２を介して設けられ、さらに折罫線６４を介して緩衝底面部６６が同方向に延出し、さらに折罫線６８を介して、緩衝糊付片７０が同方向に延出している。緩衝片６０と緩衝底面部６６、及び緩衝糊付片７０により、緩衝支持部１７を構成している。折罫線６２，６４，６８には、折り曲げを容易にするための切り込みが適宜の長さに形成されている。緩衝底面部６６の延出方向長さは、底フラップ部５４の延出方向長さに等しい。緩衝片６０の延出方向長さは、組み立て状態での緩衝底面部６６の底フラップ部５４からの高さを設定し、緩衝糊付片７０の糊付け位置を定める。緩衝片６０、緩衝底面部６６、及び緩衝糊付片７０は、底フラップ５４の端縁部よりも狭い幅に形成され、底フラップ５４の端縁部による段部５４ａが形成され、緩衝糊付片７０が側面板１８に糊付けされた状態で、側面板２０との間に段部５４ａの長さ分の空間７１が形成される。
【００２０】
緩衝片６０と緩衝底面部６６の側方であって、折罫線２４の延長上に位置する箇所には、緩衝中仕切り片７２が設けられている。緩衝中仕切り片７２は、略台形状に形成され、緩衝片６０とは折罫線２４と平行な折罫線７４を介して連接し、折罫線７４の両端部が折罫線６２，６４の端部と接している。従って、緩衝中仕切り片７２と緩衝底面部６６とは切り込み７５により分離している。緩衝中仕切り片７２の緩衝底面部６６に隣接する端部は、緩衝糊付片７０から離れるに従い緩衝糊付片７０の延出方向に突出するように傾斜した端縁部に形成され、緩衝中仕切り片７２は細長い台形状に形成されている。緩衝片６０、緩衝底面部６６、及び緩衝糊付片７０の幅は、底フラップ部５４の各側面の連接方向の幅よりも狭く、緩衝糊付片７０は、先端部がやや細くなるように台形状に形成されている。
【００２１】
組み立て状態で側面板１８と対面する側面板２２の上端縁には、ほぼ台形状で上フラップ５０と同じ形状で対称に位置した上フラップ８０が折罫線８２を介して形成されている。上フラップ８０の折罫線８２から先端までの長さは、側面板２２の連接方向長さの１／２より僅かに短い程度に形成されている。同様に、側面板２２の下端縁には、ほぼ四角形状の底フラップ部８４が折罫線８６を介して形成されている。底フラップ部８４の折罫線８６から先端までの長さは、他方の底フラップ部５４と端部同士が接して対面するように互いに長さが設定されて形成され、この実施形態では、側面板１６，２０の連接方向長さの１／２に形成されている。
【００２２】
底フラップ部８４の先端縁には、折罫線３２の延長方向に緩衝片９０が折罫線９２を介して設けられ、さらに折罫線９４を介して緩衝底面部９６が同方向に延出し、さらに折罫線９８を介して、緩衝糊付片１００が同方向に延出している。折罫線９２，９４，９８には、折り曲げを容易にするための切り込みが適宜の長さに形成されている。緩衝底面部９６の延出方向長さは、底フラップ部８４の延出方向長さに等しく、この実施形態では、緩衝底面部６６とほぼ等しい。緩衝片９０の延出方向長さは、組み立て状態での緩衝底面部９６の底フラップ部８４からの高さを設定し、緩衝糊付片１００の糊付け位置を定める。緩衝片９０、緩衝底面部９６、及び緩衝糊付片１００は、底フラップ８４の端縁部よりも狭い幅に形成され、底フラップ８４の端縁部による段部８４ａが形成され、緩衝糊付片１００が側面板１８に糊付けされた状態で、側面板２０との間に段部８４ａの長さ分の空間１０１が形成される。段部８４ａは、段部５４ａと等しい長さで、空間１０１は、空間７１と連通して付属物１５の収納部を形成する。
【００２３】
次に、緩衝中仕切り付き包装用箱１０の組立方法の一例について、図２〜図４に基づいて説明する。ここで、図２は箱体形成片１２を表面側から見たもの、図３、図４は箱体形成片１２を裏面側から見たものである。以下、箱体形成片１２の表面が凸になる折り方を正折り、裏面が凸になる折り方を逆折りと称す。
【００２４】
まず、図２に示す展開状態の箱体形成片１２の緩衝糊付片７０，１００の裏面に糊１０２を各々塗布し、図３に示すように、折罫線６２，９２で正折りして、緩衝片６０，９０と緩衝底面部６６，９６を、側面板１８，２２の裏面側に折り返して緩衝糊付片７０，１００を側面板１８，２２の裏面に糊付けする。さらに、緩衝中仕切り片７２の表面であって、緩衝片６０の側方に位置した部分に糊１０４を塗布し、折罫線７４を逆折りして、緩衝中仕切り片７２を緩衝片６０の表面側に糊付けする。
【００２５】
この状態で、糊付片３０の表面に糊１０６を塗布して、折罫線２８で正折りして側面板２２を折り返す。さらに、折罫線２４を正折りして、側面板１６と糊付片３０を接着する。これにより、図４に示すように、箱体形成片１２は、平坦に折り畳まれた状態となり、商品である収容物１３，１４、及び能書等の付属物１５を収納する工場等へ出荷可能となる。
【００２６】
ビン等の収容物１３，１４、及び能書等の付属物１５を収納する工場等において、折り畳まれた状態の図４に示す箱体形成片１２から、折罫線２４，２６，２８，３２を各々９０度に正折りし、４つの側面板１６，１８，２０，２２を直方体状の筒状にする。次に、図１、図５に示すように、底フラップ５４，８４を折罫線５６，８６で９０度に正折りする。これにより、緩衝片６０，９０及び緩衝底面部６６，９６が折罫線６２，６４，９２，９４で正折りされ、折罫線６８，９８が９０度に逆折りされて、緩衝底面部６６，９６が底フラップ５４，８４から緩衝片６０，９０の長さ分の間隔を空けて、底フラップ５４，８４と平行に位置する。この状態で、図１、図５に示すように、緩衝中仕切り付き包装用箱１０内には、緩衝支持部１７が立体的に設けられ、緩衝底面部６６，９６から上方に延出した緩衝中仕切り片７２が、箱体１１内の空間を２分する仕切りとして立設される。そして、下蓋片４２を折罫線４４で正折りし、差込片４６を折罫線４８で正折りして側面板１６の内側に差し込み、箱体１１の底面部分が閉じられる。
【００２７】
この後、解放された上蓋片３４側から収容物１３，１４を緩衝支持部１７の緩衝底面部６６，９６に載せるように収納する。さらに能書等の付属物１５を空間７１，１０１に収納し、上蓋片３４を折罫線３６で正折りして、差込片３８を折罫線４０で正折りして、側面板１６の内側に差し込む。
【００２８】
上蓋片３４及び下蓋片４２は、収容物１３，１４等を収納後に、差込片３８，４６を糊付け等により封止して包装が完了する。なお、組立方法は、上記工程に限らず、適宜の工程で箱体１１を形成し、収容物１３，１４、付属物１５を収納して包装することができる。
【００２９】
この緩衝中仕切り付き包装用箱１０を開封する際には、側面板１６の切り込み線３３の内側を押圧して破り、差込片３８を引き上げて、上蓋片３４を開ける。
【００３０】
以上説明したように、この実施形態の緩衝中仕切り付き包装用箱１０は、組み立てられた箱体１１内の収容空間に、底フラップ５４，８４から一体に形成された緩衝支持部１７が設けられ、さらに緩衝中仕切り片７２が緩衝片６０から一体に立設され、内部の収容物１３，１４の側面同士の衝突に対して、確実に緩衝機能を発揮する。さらに、箱体形成片１２から立体の箱体１１に引き起こす際に、同時に緩衝底面部６６，９６及び緩衝中仕切り片７２による緩衝支持部１７が設けられ、組み立てが容易である。しかも、緩衝中仕切り片７２は、底フラップ５４から延出した緩衝片６０と緩衝底面部６６の側方に位置し、その長さや形状を任意に設定することが可能であり、収容物１３，１４の大きさや材質等に合わせて、容易に設計可能である。さらに、付属物１５の収納空間も容易に形成することができ、緩衝機能も合わせて持たせることができる。
【００３１】
なお、この発明は、上記実施形態に限定されるものではなく、図６、図７に示す緩衝中仕切り付き包装用箱１１０の箱体形成片１１２のように、底フラップ８４から延出した緩衝片９０と緩衝底面部９６にも、緩衝中仕切り片７２と同様の緩衝中仕切り片１０７を設けても良い。
【００３２】
緩衝中仕切り片１０７は、緩衝中仕切り片７２と同様に略台形状に形成され、緩衝片９０とは折罫線３２と平行な折罫線１０８を介して連接し、折罫線１０８の両端部が折罫線９２，９４の端部と接している。緩衝中仕切り片１０７と緩衝底面部９６及び緩衝糊付片１００とは切り込み１０５により分離している。緩衝中仕切り片１０７の糊付け片１００に隣接する端部は、緩衝糊付片１００から離れるに従い緩衝糊付片１００の延出方向に突出するように傾斜した端縁部に形成され、緩衝中仕切り片１０７は細長い台形状に形成されている。
【００３３】
この実施形態の緩衝中仕切り付き包装用箱１１０によれば、図７に示すように、緩衝支持部１７の緩衝中仕切り片７２，１０７は、それらを重ねるように構成され、緩衝効果が高くなり、より安全性の高い包装用箱を構成することができる。
【００３４】
さらに、この発明の緩衝中仕切り付き包装用箱は、上蓋片及び下蓋片に差込片を有したもの以外に、内蓋と外蓋を貼り合わせる、いわゆるシールエンドカートン形式の包装用箱にも、底フラップ部から緩衝片等を延出させて構成することができ、包装用箱の蓋片の構成は適宜選択し得るのである。
【符号の説明】
【００３５】
１０  緩衝中仕切り付き包装用箱
１１  箱体
１２，１１２  箱体形成片
１３，１４  収容物
１５  付属物
１６，１８，２０，２２  側面板
１７  緩衝支持部
３４  上蓋片
４２  下蓋片
５０，８０  上フラップ
５４、８４  底フラップ部
６０，９０  緩衝片
６６，９６  緩衝底面部
７０，１００  緩衝糊付片
７２，１０７  緩衝中仕切り片
【図１】
2015013672.tif 000003
【図２】
2015013672.tif 000004
【図３】
2015013672.tif 000005
【図４】
2015013672.tif 000006
【図５】
2015013672.tif 000007
【図６】
2015013672.tif 000008
【図７】
2015013672.tif 000009